(57)【要約】      （修正有）【課題】家庭生活等でごみを一時保管するためのごみ収納庫において投入したごみ容器内のごみが発する臭いやゴキブリなどの虫の発生、侵入を防ぐためにごみ収納庫の開閉に連動してごみ容器の蓋が連動して開閉し且つごみの投入、排出が容易でまたごみ容器及び収納庫の清掃洗浄が容易にできるような構造をもつごみ収納庫の提供。【解決手段】上記課題を解決するために１．前方を開放した箱（収納庫本体）２．前面下部を支点とした傾斜引き出し可能な引き戸３．２の引き戸に置かれるごみ容器４．１の収納庫奥部を支点とし引き戸の引き出しと共に円弧状に引き出されるごみ容器の上面縁に連動して開閉する構造を持った蓋のそれぞれ独立した部位から構成される。収納庫の引き戸を引くことによってごみ容器が引き出され同時に蓋が開きごみの投入が容易に出来、閉じるときは収納庫の引き戸を閉めれば連動してごみ容器が収納され同時に蓋が閉じ臭いや虫の発生や進入を防ぐことが出来る。またそれぞれ独立した部位のため簡単に取り出せられ清掃洗浄が容易にすることが出来る。【選択図】図３
0003119844.tif 000002
【実用新案登録請求の範囲】
【請求項１】
前方を開放した箱と、前方に傾斜引き出し可能な引き戸と、引き戸に収納されるごみ容器と、引き戸傾斜引き出し時に自動的に開き且つ引き戸収納時に自動的に閉じ密封する手段を有する蓋と  ごみ容器及び箱内部の清掃の際簡易に着脱可能な手段を備えたことを特徴とするごみ容器収納庫。
【考案の詳細な説明】
【考案の詳細な説明】
【考案の技術分野】
【０００１】本考案は家庭生活および教育福祉医療介護施設、飲食  調理  食品製造加工場、公共集客施設等で発生、廃棄される塵芥等多種多様なごみを一時的に収納保管するために使用する  自動的に開閉する蓋を有するごみ収納庫に関するものである。
【背景技術】
【０００２】従来生ごみ等のごみ収納庫（ごみ容器）は本考案と同様ごみの臭いを防ぐため戸の開閉に連動して蓋が開閉する機能を持つものがあるがバネや紐特殊な金具や装置を必要としており且つごみ箱や戸、収納庫に接続設置されているものであった。
【考案の開示】
【考案が解決しようとする課題】
【０００３】従来の蓋付ごみ容器は戸の開閉によってごみ容器の蓋が開閉するのでごみの投入には不都合はなく悪臭やゴキブリ等の侵入も防ぐ効果もあるがごみ容器に溜まったごみの取り出しは蓋、ごみ容器及び収納庫がバネや器具金具で接続設置されており容易に取り出し難い構造である。【０００４】収納庫からごみ容器本体を離脱することも前述のように接続設置している構造のためさらに困難を極めごみ容器の清掃洗浄や収納庫本体内部、底面の清掃は容易に出来ず極めて困難で不衛生である。
【課題を解決する為の手段】
【０００５】本考案は上記課題を解決するために１．前方を開放した箱（収納庫本体）２．前面下部を支点とした傾斜引き出し可能な引き戸３．２の引き戸に置かれるごみ容器４．１の収納庫奥部を支点とし引き戸の引き出しと共に円弧状に引き出されるごみ容器の上面縁に連動して開閉する構造を持った蓋のそれぞれ独立した部位から構成される。
【０００６】引き戸の引き出しと連動され引き出されるごみ容器は引き戸の底面に接するダボ金具及び蓋裏面前方に位置する突起によって引き出される角度が規制される構造を持つ。
【０００７】蓋裏面は引き戸の支点を起点とする円弧状の成型加工を施し引き戸と共に引き出されたごみ容器の縁に接触しながら動きに連動して開閉する構造を持つ。
【０００８】ごみ容器は蓋を上方に上げることによって容易に取り出すことが出来る。
【０００９】引き戸は底面に接するダボ金具を取り外すことによってさらに前方に引き出せる。
【００１０】蓋は支点となる金属棒から容易に上に引き上げられ取り外せる。
【考案の効果】
【００１１】ごみ容器は引き戸の底面がダボ金具に接するまで前方に引き出される。蓋も連動してごみ容器の縁まで移動し開口、ごみの投入が可能となる。
【００１２】投入後  引き戸を押し戻せば蓋も連動してごみ容器開口部全体に覆いかぶさり生ごみ等のいやな臭いを遮断し又ゴキブリや虫等の侵入を完全に防ぐことができ衛生的に使用できる。
【００１３】ごみ容器は蓋の上への引き上げ、引き戸はダボ金具の取り外し、蓋は保持する金属棒からの取り外しにより容易に開口、取り外しが出来る構造のため掃除等清潔に保つことが簡便に行える。
【考案を実施するための最良の形態】
【実施例】
【００１４】考案の実施の形態を実施例にもとずき図面を参照して説明する。
図１はごみ容器収納庫の側面を切り取った側面図でごみ容器が収納されている状態を示す。収納庫本体１−１、引き戸２−１、ごみ容器３−１、蓋４−１、引き戸の支点金具５、蓋の支点金属棒６。
図２は引き戸を前方に引き出しごみをごみ容器に投入できる状態を示す。
引き戸２−２は引き戸の支点金具５を支点として前方へ引き出される。それに連動して引き戸に保持されたごみ容器３−２は前方に傾く。蓋４−２はごみ容器３−２の支点からごみ容器の縁Ａの半径で円弧状に移動するごみ容器い沿って上方へ引き上げられ蓋裏面前方に位置する突起Ｂで止まる。この状態でごみの投入が行われる。
図３はごみの排出の為のごみ容器の取り出し時の状態を示す。
蓋４−３は手で上方に引き上げると蓋裏面前方に位置する突起がごみ容器３−３から離れごみ容器３−３は引き戸２−３と共にさらに前方へ傾き収納庫本体側面に位置するダボ金具７まで傾き規制される。この状態でごみ容器３−３は上方に取り出すことが可能になりごみの排出、ごみ容器の洗浄清掃を行うことができる。
図４は引き戸をさらに引き出した状態を示す。
引き戸２−４は収納庫本体側面に位置するダボ金具７を外すことにより更に前方へ傾く。又蓋４−４は蓋支点金棒６から上方に引き上げることによって離脱し取り出される。蓋は取り出されることによって容易に洗浄清掃が出来、また収納庫内部、底面は手が入れられる状態に開口されるのでごみ容器から投入時こぼれたごみの取り除きや収納庫内部の清掃が出来内部を清潔衛生的に保つことが可能となる。
使用時状態戻すには蓋４−４を蓋支点金棒６に蓋の溝を上からさしこみ、引き戸２−４をダボ金具穴を通り越すまで引き上げダボ金具７を穴に差込、ごみ容器３−４を引き戸に設置し、蓋４−４を蓋裏面前方に位置する突起Ｂがごみ容器３−４の縁に入る位置まで引き下げ図２の状態に戻す。
図５は蓋の側面断面を示す。蓋の支点側内面Ｄは引き戸の支点５を起点とする半径で作られる円弧状の成型加工を施す形状でありこの円弧に沿ってごみ容器の縁が前方へ引き出される際同時に蓋が開きまたごみ容器が戻される際同時に蓋が閉じる構造を持つ。
【考案の効果】
【００１５】本考案は以上説明したように構成されているので以下に記載されるような効果を奏する。
【００１６】収納庫の引き戸を引くことによって連動してスムーズにごみ容器が引き出されるのでごみを捨てる、閉じるの動作が簡単に行うことができる。
【００１７】蓋が自動的に開閉し密閉できるので臭いやゴキブリ等の虫の発生、侵入を防ぐことができる。
【００１８】それぞれの部位が独立した構造のため取り外しが容易で洗浄清掃がしやすく清潔で衛生的に保つことができる。
【００１９】全体が単純で独立した考案の構造なので比較的安価でできる。
【００２０】それぞれの部位が独立した考案の構造のため台所収納庫ごみ容器の他に台所や洗面所の流し台や居間、寝室、子供部屋などの収納庫やキャビネット等に簡単に組み込むことが可能。又公共集客施設や学校、病院などの施設等においても多数連結することも出来分別収集による資源の手助けが出来る。
【図１】
0003119844.tif 000003
【図２】
0003119844.tif 000004
【図３】
0003119844.tif 000005
【図４】
0003119844.tif 000006
【図５】
0003119844.tif 000007
【手続補正書】
【提出日】平成17年12月22日(2005.12.22)
【手続補正１】
【補正対象書類名】明細書
【補正対象項目名】全文
【補正方法】変更
【補正の内容】
【考案の詳細な説明】
【考案の詳細な説明】
【考案の技術分野】
【０００１】本考案は家庭生活および教育福祉医療介護施設、飲食調理食品製造加工場、公共集客施設等で発生、廃棄される塵芥等多種多様なごみを一時的に収納保管するために使用する自動的に開閉する蓋を有するごみ収納庫に関するものである。
【背景技術】
【０００２】従来生ごみ等のごみ収納庫（ごみ容器）は本考案と同様ごみの臭いを防ぐため戸の開閉に連動して蓋が開閉する機能を持つものがあるがバネや紐特殊な金具や装置を必要としており且つごみ箱や戸、収納庫に接続設置されているものであった。
【考案の開示】
【考案が解決しようとする課題】
【０００３】従来の蓋付ごみ容器は戸の開閉によってごみ容器の蓋が開閉するのでごみの投入には不都合はなく悪臭やゴキブリ等の侵入も防ぐ効果もあるが  ごみ容器に溜まったごみの取り出しは蓋、ごみ容器及び収納庫がバネや器具金具で接続設置されており容易に取り出し難い構造である。【０００４】収納庫からごみ容器本体を離脱することも前述のように接続設置している構造のためさらに困難を極めごみ容器の清掃洗浄や収納庫本体内部、底面の清掃は容易に出来ず極めて困難で不衛生である。
【課題を解決する為の手段】
【０００５】本考案は上記課題を解決するために１．前方を開放した箱（収納庫本体）２．前面下部を支点とした傾斜引き出し可能な引き戸３．２の引き戸に置かれるごみ容器４．１の収納庫奥部を支点とし引き戸の引き出しと共に円弧状に引き出されるごみ容器の上面縁に連動して開閉する構造を持った蓋のそれぞれ独立した部位から構成される。
【０００６】引き戸の引き出しと連動され引き出されるごみ容器は引き戸の底面に接するダボ金具及び蓋裏面前方に位置する突起によって引き出される角度が規制される構造を持つ。
【０００７】蓋裏面は引き戸の支点を起点とする円弧状の成型加工を施し引き戸と共に引き出されたごみ容器の縁に接触しながら動きに連動して開閉する構造を持つ。
【０００８】ごみ容器は蓋を上方に上げることによって容易に取り出すことが出来る。
【０００９】引き戸は底面に接するダボ金具を取り外すことによってさらに前方に引き出せる。
【００１０】蓋は支点となる金属棒から容易に上に引き上げられ取り外せる。
【考案の効果】
【００１１】ごみ容器は引き戸の底面がダボ金具に接するまで前方に引き出される。蓋も連動してごみ容器の縁まで移動し開口、ごみの投入が可能となる。
【００１２】投入後引き戸を押し戻せば蓋も連動してごみ容器開口部全体に覆いかぶさり生ごみ等のいやな臭いを遮断し又ゴキブリや虫等の侵入を完全に防ぐことができ衛生的に使用できる。
【００１３】ごみ容器は蓋の上への引き上げ、引き戸はダボ金具の取り外し、蓋は保持する金属棒からの取り外しにより容易に開口、取り外しが出来る構造のため掃除等清潔に保つことが簡便に行える。
【考案を実施するための最良の形態】
【実施例】
【００１４】考案の実施の形態を実施例にもとずき図面を参照して説明する。
図１はごみ容器収納庫の側面を切り取った側面図で  ごみ容器が収納されている状態を示す。収納庫本体１−１、引き戸２−１、ごみ容器３−１、蓋４−１、引き戸の支点金具５、蓋の支点金属棒６。
図２は引き戸を前方に引き出し  ごみをごみ容器に投入できる状態を示す。
引き戸２−２は引き戸の支点金具５を支点として前方へ引き出される。それに連動して引き戸に保持されたごみ容器３−２は前方に傾く。蓋４−２はごみ容器３−２の支点からごみ容器の縁Ａの半径で円弧状に移動するごみ容器い沿って上方へ引き上げられ蓋裏面前方に位置する突起Ｂで止まる。この状態でごみの投入が行われる。
図３はごみの排出の為のごみ容器の取り出し時の状態を示す。
蓋４−３は手で上方に引き上げると蓋裏面前方に位置する突起がごみ容器３−３から離れごみ容器３−３は引き戸２−３と共にさらに前方へ傾き収納庫本体側面に位置するダボ金具７まで傾き規制される。この状態でごみ容器３−３は上方に取り出すことが可能になりごみの排出、ごみ容器の洗浄清掃を行うことができる。
図４は引き戸をさらに引き出した状態を示す。
引き戸２−４は収納庫本体側面に位置するダボ金具７を外すことにより更に前方へ傾く。又  蓋４−４は蓋支点金棒６から上方に引き上げることによって離脱し取り出される。蓋は取り出されることによって容易に洗浄清掃が出来、また収納庫内部、底面は手が入れられる状態に開口されるので  ごみ容器から投入時こぼれたごみの取り除きや収納庫内部の清掃が出来内部を清潔衛生的に保つことが可能となる。
使用時状態戻すには蓋４−４を蓋支点金棒６に蓋の溝を上からさしこみ、引き戸２−４をダボ金具穴を通り越すまで引き上げダボ金具７を穴に差込、ごみ容器３−４を引き戸に設置し、蓋４−４を蓋裏面前方に位置する突起Ｂがごみ容器３−４の縁に入る位置まで引き下げ図２の状態に戻す。
図５は蓋の側面断面を示す。蓋の支点側内面Ｄは引き戸の支点５を起点とする半径で作られる円弧状の成型加工を施す形状であり  この円弧に沿ってごみ容器の縁が前方へ引き出される際同時に蓋が開き  また  ごみ容器が戻される際同時に蓋が閉じる構造を持つ。
【考案の効果】
【００１５】本考案は以上説明したように構成されているので以下に記載されるような効果を奏する。
【００１６】収納庫の引き戸を引くことによって連動してスムーズにごみ容器が引き出されるのでごみを捨てる、閉じるの動作が簡単に行うことができる。
【００１７】蓋が自動的に開閉し密閉できるので臭いやゴキブリ等の虫の発生、侵入を防ぐことができる。
【００１８】それぞれの部位が独立した構造のため取り外しが容易で洗浄清掃がしやすく清潔で衛生的に保つことができる。
【００１９】全体が単純で独立した考案の構造なので比較的安価でできる。
【００２０】それぞれの部位が独立した考案の構造のため台所収納庫ごみ容器の他に台所や洗面所の流し台や居間、寝室、子供部屋などの収納庫やキャビネット等に簡単に組み込むことが可能。又公共集客施設や学校、病院などの施設等においても多数連結することも出来分別収集による資源の手助けが出来る。
【図面の簡単な説明】
【００２１】
【図１】ごみ容器収納庫の側面を切り取った側面図。ごみ容器が収納され且つ容器の蓋が閉まっている状態を示す。
【図２】ごみ収納庫の引き戸を前方に引き出し  ごみ容器が傾き且つ蓋がスライドして開きゴミを投入出来る状態を示す。
【図３】ゴミ排出の為ごみ容器を取り出した状態を示す。
【図４】ごみ容器収納庫内及びごみ容器、蓋の清掃の為引き戸をさらに引き出した状態を示す。
【図５】ごみ容器の蓋側面断面図を示す。
【符号の説明】
【００２２】１−１        収納庫本体
２−１        引き戸
２−２        引き出された引き戸
２−３        さらに引き出された引き戸
２−４        最も引き出された引き戸
３−１        ごみ容器
３−２        前方に傾いたごみ容器
３−３        さらに前方に傾いたごみ容器（ごみ容器が取り出せる）
３−４        取り出されたごみ容器（点線部分）
４−１        蓋
４−２        スライドして開かれた蓋
４−３        上方に開かれた蓋
４−４        上方にはずされた蓋
４−５        蓋
５            引き戸の支点金具
６            蓋の支点金属棒
７            ダボ金具
Ａ            ごみ容器の縁
Ｂ            蓋裏面前方の突起
Ｃ            ごみ投入口
Ｄ            蓋支点側の円弧状成型加工面（断面図）